(57)【要約】【課題】基本的に従来では頻繁に行う警戒解除や警戒のための警戒設定操作を行わなくても常時防犯が行え、施錠忘れなどによる不安全な無施錠状態を予防することができるとともに、居住者等の建物の使用者が建物から外出中のときなどの防犯対策は勿論、居住者等の建物の使用者が建物内に居るときなどの防犯対策も行える防犯システムを提供する。【解決手段】解錠施錠状態検知センサー（２０Ａ、２３）とタイマー４３と報知手段（６、４７、４８、５１、５２）と振動検知センサー（２０Ａ、２０Ｂ）と開閉検知センサー（２０Ｂ、２２）と制御手段（４１）とを備える防犯システムである。窓２が振動すると警報音で報知し、窓２が解錠状態でかつ開状態であると音による報知は行わず、窓２が解錠状態でかつ閉状態であり設定時間となると通知音による報知を行い、戸が解錠状態で設定時間となると通知音による報知を行う。【選択図】図１
2018028936.tif 000002
【特許請求の範囲】
【請求項１】
建物の窓及び戸に設置されて前記窓及び前記戸の解錠・施錠状態検知する解錠施錠状態検知センサーと、該解錠施錠状態検知センサーが解錠状態を検知してからの時間を計時するタイマーと、音での報知を行う報知手段と、前記窓に設置されてガラス破りの際に生じる前記窓の振動を検知する振動検知センサーと、前記窓に設置されて前記窓の開閉を検知する開閉検知センサーと、これらを制御する制御手段とを備え、
前記窓に設置された前記振動検知センサーにより前記窓の振動を検知したときには、侵入者によるものとみなし、侵入者への威嚇を兼ねた警報音による報知を行い、
前記窓に設置された前記解錠施錠状態検知センサーと前記開閉検知センサーとにより前記窓が解錠状態でかつ開状態であると検知したときには、前記建物の使用者による行為とみなし、音による報知は行わず、
前記窓に設置された前記解錠施錠状態検知センサーと前記開閉検知センサーとにより前記窓が解錠状態でかつ閉状態を検知して前記タイマーが設定した時間以上の時間を計時すると、前記建物の使用者による行為とみなし、前記建物の使用者への注意喚起として通知音による報知を行い、
前記戸に設置された前記解錠施錠状態検知センサーにより前記戸の解錠状態を検知して前記タイマーが設定した時間以上の時間を計時すると、前記建物の使用者への注意喚起として通知音による報知を行うことを特徴とする防犯システム。
【請求項２】
建物の窓及び戸に設置されて前記窓及び前記戸の解錠・施錠状態検知する解錠施錠状態検知センサーと、該解錠施錠状態検知センサーが解錠状態を検知してからの時間を計時するタイマーと、音、表示及びデータ受信装置に送信する報知データの少なくともいずれか一での報知を行う報知手段と、前記窓に設置されてガラス破りの際に生じる前記窓の振動を検知する振動検知センサーと、前記窓に設置されて前記窓の開閉を検知する開閉検知センサーと、これらを制御する制御手段とを備え、
前記窓に設置された前記解錠施錠状態検知センサーと前記開閉検知センサーとにより前記窓が施錠状態でかつ開状態であると検知したときには、システムの異常とみなし、前記報知手段による報知を行い、
前記窓に設置された前記振動検知センサーにより前記窓の振動を検知したときには、音による報知を行い、
前記窓に設置された前記解錠施錠状態検知センサーと前記開閉検知センサーとにより前記窓が解錠状態でかつ開状態であると検知したときには、前記建物の使用者による行為とみなし、音による報知を行うことなく、前記表示による報知を行い、
前記窓に設置された前記解錠施錠状態検知センサーと前記開閉検知センサーとにより前記窓が解錠状態でかつ閉状態を検知して前記タイマーが設定した時間以上の時間を計時すると、前記建物の使用者による行為とみなし、音による報知を行い、
前記戸に設置された前記解錠施錠状態検知センサーにより前記戸の解錠状態を検知して前記タイマーが設定した時間以上の時間を計時すると、前記報知手段による報知を行うことを特徴とする防犯システム。
【発明の詳細な説明】
【技術分野】
【０００１】
本発明は、建物内への犯罪者等の侵入を防止する防犯システムに関するものである。
【背景技術】
【０００２】
従来から、建物内への犯罪者等の侵入を防止する防犯システムに関する技術が多く提案され、実施に供されている（例えば、特許文献１等を参照）。
【先行技術文献】
【特許文献】
【０００３】
【特許文献１】特開２００４−１１０３１６号公報
【発明の概要】
【発明が解決しようとする課題】
【０００４】
しかしながら、上記した特許文献１のような多くの従来技術では、頻繁な警戒解除と警戒設定操作を行うことが必須であり、居住者等の建物の使用者にとって負担となるばかりでなく、警戒設定操作を忘れることや煩わしさで意図的に警戒設定操作を行わないことにより、システムとして機能しないという問題点があった。
【０００５】
具体的には、このような従来技術では、センサーで開閉や施錠を検知しているのみなので、居住者等の建物の使用者と犯罪者等の侵入者との区別ができない。
【０００６】
このため、居住者等の建物の使用者の判断で、外出時等には警戒設定操作を行って警戒状態にしておき、犯罪者等の侵入者による侵入があった際には、警報が発生し、犯罪者等の侵入者を威嚇することが通常なされていた。
【０００７】
だが、このような構成の場合、居住者等の建物の使用者が建物に戻ってきたとき、警報を解除する警戒解除の行為が必須となるばかりでなく、誤って居住者等の建物の使用者が警戒に引っ掛かり、警報を発生させてしまうということが頻繁に起こっていたので、こうしたことが、居住者等の建物の使用者が、煩わしさで意図的に警戒設定操作を行わないことを増長させる原因になっていた。
【０００８】
このような問題は、鍵の開け閉め、建物開口部の窓や戸の開閉については、居住者等の建物の使用者も犯罪者等の侵入者もする行為は同じなのに、その行為を侵入者の検知対象として、警戒設定操作や警戒解除という居住者等の建物の使用者による行為で対応していた点に起因する。
【０００９】
また、こうした多くの従来技術では、警戒がなされた状態において、犯罪者等に侵入されたことで警報を出すものであり、施錠忘れなどによる不安全な無施錠状態を予防するものではなく、このため、侵入されてから初めて警報が出るという、後追いの対処となっている点も問題点の一つであった。
【００１０】
さらに、こうした多くの従来技術では、居住者等の建物の使用者が建物から外出中のときなどの防犯対策に重きをおいたものであることから、居住者等の建物の使用者が建物内に居るとき（住宅では在宅中）などの防犯対策に適したものではなかった。
【００１１】
一方で、近年では、居住者等の建物の使用者が建物から外出中のときなどの犯罪に加え、居住者等の建物の使用者が建物内に居るときなどの犯罪（忍び込み、居空き等）も増えつつある。居住者等の建物の使用者はこうした侵入者と鉢合わせする可能性があり非常に危険性が高い。
【００１２】
具体的には、多くの従来技術では、居住者等の建物の使用者は、帰宅時など建物に戻ってきたとき、警報が発生しないように、速やかに警戒解除を行い、建物内に居るときにも警戒したい際は、警戒解除を行ったばかりの状態から、再度、警戒設定操作を行い、警戒状態に設定する必要がある。
【００１３】
また、窓開け換気をしたいときや、一時的に建物開口部の窓や戸から屋外に出たいときなど、建物開口部の窓や戸を開けたい際には、いちいち警戒解除を行う必要があった。
【００１４】
さらにここで、ある建物開口部の窓や戸を開けるために警戒解除を行ってしまうと、システム全体が解除状態となってしまい、万一、警戒状態に設定する前に、他の建物開口部の窓や戸から犯罪者等の侵入者に侵入された場合には、警報が発生しないという不具合があった。
【００１５】
なお、従来技術のなかには、この不具合に着眼し、必要な建物開口部の窓や戸のみを警戒解除し、他の建物開口部の窓や戸は警戒状態とするという機能を有するものもある。
【００１６】
だが、こうした従来技術でも、一度全体の警戒解除を行い、続けて、必要な建物開口部の窓や戸のみを除いた設定操作を行うという二度の操作を行わなければならないため、その煩わしさから実際にはその機能を使用する人が少ないという現状がある。
【００１７】
そこで、本発明は、基本的に従来では頻繁に行う警戒解除や警戒のための警戒設定操作を行わなくても常時防犯が行え、施錠忘れなどによる不安全な無施錠状態を予防することができるとともに、居住者等の建物の使用者が建物から外出中のときなどの防犯対策は勿論、居住者等の建物の使用者が建物内に居るときなどの防犯対策も行える防犯システムを提供することを目的としている。
【課題を解決するための手段】
【００１８】
前記目的を達成するために、本発明の防犯システムは、建物の窓及び戸に設置された施錠検知センサーと、該施錠検知センサーが解錠状態を検知してからの時間を計時するタイマーと、該タイマーが設定した時間（Ｔ）以上の時間を計時すると音、表示及びデータ受信装置に送信する報知データ（例えば、メール形式の報知データ）の少なくともいずれか一での報知を行う報知手段と、これらを制御する制御手段とを備えていることを特徴とする。
【００１９】
ここで、前記窓は引き違い窓であり、前記施錠検知センサーは、該引き違い窓の各面にそれぞれ設置された振動・磁気センサーと、該引き違い窓の外側に取り付けられた窓用開閉検知用磁石と、該引き違い窓のクレセント錠に設けられたクレセント錠用施錠検知用磁石とから成り、該引き違い窓のクレセント錠の解錠・施錠状態検知機能と、該引き違い窓の開閉検知機能と、該引き違い窓のガラス破り検知機能とを有するとよい。
【００２０】
また、前記振動・磁気センサーにより前記窓のガラス破りを検知したときには、侵入者によるものとみなし、侵入者への威嚇を兼ねた警報として、前記音による報知又は前記表示による報知を行い、前記窓又は前記戸の未施錠状態を検知したときは、前記建物の使用者による行為とみなし、前記建物の使用者への注意喚起として、前記音による報知、前記表示による報知、又は前記報知データによる報知を行うとよい。
【００２１】
さらに、前記窓のガラス破りを検知したときの前記音による報知は、警報音によるものであり、前記窓又は前記戸の未施錠状態のみを検知したときの前記音による報知は、通知音によるものであるとよい。
【００２２】
また、前記施錠検知センサーが施錠状態で前記窓が開状態であると検知したときには、システムの異常とみなし、前記報知手段による報知を行うとよい。
【００２３】
さらに、前記窓の前記クレセント錠には、空がけ防止用のクレセント錠が用いられているとよい。
【００２４】
また、前記窓の前記施錠検知センサーが解錠状態で該窓が開状態であると検知したときには、前記建物の使用者による行為とみなし、前記建物の使用者への注意喚起として、該窓のみについて前記表示による報知を行うとよい。
【００２５】
さらに、前記施錠検知センサーで検知した検知結果に基づいた安全度の度合いを色又は光の点滅で表示する表示部を備えているとよい。
【００２６】
また、前記戸は内側にサムターンを有する戸であり、前記サムターンには、直接的又は間接的に戸用施錠検知用磁石が取り付けられており、前記施錠検知センサーは、磁気センサーから成り、前記戸用施錠検知用磁石の変位から前記戸の解錠・施錠状態を検知するとよい。
【００２７】
さらに、前記窓及び前記戸の少なくともいずれか一方には、前記報知手段による報知の一時的な延長又は停止を可能とする報知延長・停止手段が設置されているとよい。
【００２８】
また、前記報知延長・停止手段による報知の一時的な延長又は停止がなされるとともに、設定された時間内に前記施錠検知センサーが施錠状態を検知したときは、前記タイマーが設定した時間を計時すると前記報知手段による報知が行われる状態に復帰させる復帰手段が設けられているとよい。
【００２９】
さらに、前記窓及び前記戸の解錠・施錠状態を表示する防犯システム本体装置とは別体の表示手段を備えていてもよい。
【００３０】
また、報知モード切替手段を備え、前記報知データによる報知及び前記表示による報知のみを行う軽警戒モードと、前記音による報知及び前記報知データによる報知、又は、前記音による報知、前記表示による報知、及び前記報知データによる報知の全てを行う重警戒モードとを切替可能とされていてもよい。
【発明の効果】
【００３１】
このような本発明の防犯システムは、建物の窓及び戸に設置された施錠検知センサーと、施錠検知センサーが解錠状態を検知してからの時間を計時するタイマーと、タイマーが設定した時間（Ｔ）以上の時間を計時すると音、表示及びデータ受信装置に送信する報知データの少なくともいずれか一での報知を行う報知手段と、これらを制御する制御手段とを備えた構成とされている。
【００３２】
こうした構成なので、万一、無施錠状態となっていても、報知手段により居住者等の建物の使用者に音、表示及びデータ受信装置に送信する報知データの少なくともいずれか一で報知が行われるため、基本的に、従来では頻繁に行う警戒解除や常時警戒のための警戒設定操作を行わなくても、居住者等の建物の使用者は鍵を閉めるという通常の防犯行為をするのみで、常時防犯が行え、施錠忘れなどによる不安全な無施錠状態を予防することができる。
【００３３】
また、建物の窓又は戸が無施錠のときには、報知手段による音、表示及びデータ受信装置に送信する報知データの少なくともいずれか一での報知がなされるため、居住者等の建物の使用者が建物から外出中のときなどの防犯対策は勿論、居住者等の建物の使用者が建物内に居るときなどの防犯対策も行える。
【００３４】
さらに、報知手段による報知は、設定した時間未満ではなされないため、通常の窓や戸の開け閉めに支障をきたすことはない。
【００３５】
そのうえ、報知手段による報知は、音、表示及びデータ受信装置に送信する報知データの少なくともいずれか一であるため、音は、居住者等の建物の使用者が建物内に居るときに無施錠を知らせることができるだけでなく、犯罪者を威嚇して犯行を抑止させることができ、表示は、例えば、屋内に表示装置を設置すれば、居住者等の建物の使用者が建物内に居るときに無施錠を知らせることができ、屋外に警告灯等の表示装置を設置すれば、犯罪者等の侵入者を威嚇して犯行を抑止させることができ、報知データは、携帯端末などのデータ受信装置により、離れた場所にいる居住者等の建物の使用者に窓又は戸が無施錠であることを知らせることができる。
【００３６】
なお、例えば、音による報知や報知データによる報知では、居住者等の建物の使用者がトイレにいたりして気付かないケースもあるため、設定した間隔で複数回行うようにすることもでき、より効果的である。
【００３７】
ここで、窓は引き違い窓であり、施錠検知センサーは、引き違い窓の各面にそれぞれ設置された振動・磁気センサーと、引き違い窓の外側に取り付けられた窓用開閉検知用磁石、引き違い窓のクレセント錠に設けられたクレセント錠用施錠検知用磁石とから成り、引き違い窓のクレセント錠の解錠・施錠状態検知機能と、引き違い窓の開閉検知機能と、引き違い窓のガラス破り検知機能とを有する場合は、窓の閉め忘れは勿論、特に多い犯罪者の窓からの侵入を抑止することができる。特に、建物内への侵入犯罪手口のうち、無施錠の窓や戸からの侵入（４３．４％）に次いで多いガラス破りによる侵入（４０．５％）に対する防犯対策となる（数字は、警視庁発表の発生場所別の侵入手口２０１１年を引用）。
【００３８】
また、振動・磁気センサーにより窓のガラス破りを検知したときには、侵入者によるものとみなし、侵入者への威嚇を兼ねた警報として、音による報知又は表示による報知を行い、窓又は戸の未施錠状態を検知したときは、建物の使用者による行為とみなし、建物の使用者への注意喚起として、音による報知、表示による報知、又は報知データによる報知を行う場合は、犯罪者等の侵入者に対する警報と、居住者等の建物の使用者に対する注意喚起とを明確に切り分け、居住者等の建物の使用者は、警戒解除と警戒設定操作とを意識することなく、防犯することができる。
【００３９】
すなわち、居住者等の建物の使用者が自ら故意に行うはずもないガラス破りを犯罪者等の侵入者による行為と特定し、主として犯罪者等の侵入者への威嚇を兼ねた警報として、音による報知又は表示による報知を行い、窓又は戸の施錠状態に関しては、居住者等の建物の使用者による行為と特定し、建物の使用者への注意喚起として、音による報知、表示による報知、又は報知データによる報知を行うので、いずれにせよ、居住者等の建物の使用者は、不安全な状態とその度合いを知ることができ、それに応じた対応をすることができる。
【００４０】
上記したように、犯罪者等の侵入者の行為と居住者等の建物の使用者の行為を明確にセンシングから報知までを含め分離することにより、居住者等の建物の使用者の負担や煩わしさを飛躍的に低減することができる。
【００４１】
これにより、居住者等の建物の使用者による窓や戸の施錠忘れの状態が低減することとなり、犯罪者等の侵入者は、どうしても侵入したいときは、ガラス破りをするなどしかなくなり、侵入犯罪の予防が図れる。
【００４２】
そのうえ、警戒解除と警戒設定操作とをその都度行う必要がないので、操作忘れや煩わしさによる未警戒状態を排除することができ、常に安全な状態へと導くことができる。
【００４３】
特に、侵入手口の多くは、施錠忘れが原因であることから、居住者等の建物の使用者の多くは、外出時などに施錠忘れをしていないか不安に思うが、この不安を払拭することもできる。
【００４４】
また、報知データによる報知を行う報知手段が携帯電話のときは、報知データによる報知が行われなくとも、その携帯電話で防犯システム本体装置に問い合わせると施錠状態を確認できるように設定しておけば、不安感の強い居住者等の建物の使用者の不安も払拭することができる。
【００４５】
さらに、窓のガラス破りを検知したときの音による報知は、警報音によるものであり、窓又は戸の未施錠状態のみを検知したときの音による報知は、通知音によるものである場合は、犯罪者等の侵入者による行為の可能性が極めて高い窓のガラス破りを検知したときは、大きな警報音によりしっかり威嚇し、居住者等の建物の使用者の行為とみなせる窓又は戸の未施錠状態のみを検知したときは、注意喚起する程度の通知音による報知を行うことができ、居住者等の建物の使用者に無駄なストレスを与えずに済む。
【００４６】
また、施錠検知センサーが施錠状態で窓が開状態であると検知したときには、システムの異常とみなし、報知手段による報知を行う場合は、窓用開閉検知用磁石が落下して外れた状態となったときなどのシステム上の異常時を居住者等の建物の使用者に知らせることができる。
【００４７】
さらに、窓のクレセント錠には、空がけ防止用のクレセント錠が用いられている場合は、人為的なミスである窓のクレセント錠の空がけ状態を排除することができる。
【００４８】
また、窓の施錠検知センサーが解錠状態で窓が開状態であると検知したときには、建物の使用者による行為とみなし、建物の使用者への注意喚起として、その窓のみについて表示による報知を行う場合は、窓の施錠検知センサーが解錠状態で窓が開状態であるというのは、居住者等の建物の使用者が窓際に居て換気を行っていたり、ベランダで洗濯物を干す作業を行っていたりして、居住者等の建物の使用者が監視している状態となっている可能性が高いが、何かの急用で、そのまま外に出かけてしまうケースなども皆無ではないので、例えば、報知データによる報知で注意喚起をするとよい。
【００４９】
そのうえ、対象となる窓のみについて報知を行い、他の窓や戸は警戒状態となっているので、わざわざ防犯システム本体装置まで設定切替操作をしに行く必要がなく、非常に使い勝手が良い。
【００５０】
さらに、施錠検知センサーで検知した検知結果に基づいた安全度の度合いを色又は光の点滅で表示する表示部を備えている場合は、表示部の色や光の点滅を見るだけで、一目で安全度の度合いを確認することができる。
【００５１】
また、戸は内側にサムターンを有する戸であり、サムターンには、直接的又は間接的に戸用施錠検知用磁石が取り付けられており、施錠検知センサーは、磁気センサーから成り、戸用施錠検知用磁石の変位から戸の解錠・施錠状態を検知する場合は、戸の解錠・施錠状態を簡易に検知することができる。
【００５２】
さらに、窓及び戸の少なくともいずれか一方には、報知手段による報知の一時的な延長又は停止を可能とする報知延長・停止手段が設置されている場合は、例えば、ベランダでの物干し作業や玄関での来客、掃除等の時に、いちいち防犯システム本体装置まで行って警戒解除の操作をしなくても、その場で延長又は停止させることができ、非常に使い勝手が良い。
【００５３】
特に、夏場や冬場は建物の屋内はエアコンなどの冷暖房機器を用いているケースが多いが、ベランダで洗濯物を干す作業を行っていたり、庭仕事をしていたりしているときなどに、窓を施錠せず閉状態としても、万一、設定した時間経てば報知してくれるので、そのまま忘れることもない。
【００５４】
また、報知延長・停止手段による報知の一時的な延長又は停止がなされるとともに、設定された時間内に施錠検知センサーが施錠状態を検知したときは、タイマーが設定した時間を計時すると報知手段による報知が行われる状態に復帰させる復帰手段が設けられている場合は、再度施錠されれば、自動的にリセットされるので、報知の一時的な延長又は停止の解除忘れがない。
【００５５】
さらに、窓及び戸の解錠・施錠状態を表示する防犯システム本体装置とは別体の表示手段を備えている場合は、例えば、玄関や居間などに表示手段を設置すれば、一目で建物全体の施錠状態を確認することができる。
【００５６】
すなわち、防犯システム本体装置が設置されている場所以外でも、居住者等の建物の使用者は、一目で建物全体の施錠状態を確認することができ、より防犯性を高めることができる。
【００５７】
また、報知モード切替手段を備え、報知データによる報知及び表示による報知のみを行う軽警戒モードと、音による報知及び報知データによる報知、又は、音による報知、表示による報知、及び報知データによる報知の全てを行う重警戒モードとを切替可能とされている場合は、例えば、昼間などは軽警戒モードとなり、夜間や外出中などには重警戒モードとなるように設定すれば、施錠し忘れによる音での他の家族の睡眠妨害や近所迷惑などを極力少なくしながら、防犯対策が行える。
【００５８】
なお、ガラス破りは危険性が高いので、いずれのモードでも、犯罪者等の侵入者への威嚇を兼ねた警報として、音による報知を行うように設定するとよい。
【図面の簡単な説明】
【００５９】
【図１】実施例の防犯システムを備えた建物の概略構成を示す説明図である。
【図２】実施例の建物の内部から見た窓の部分の詳細を示す説明図である。
【図３】実施例の建物の外部から見た窓の部分の詳細を示す説明図である。
【図４】実施例の建物の内部から見た玄関ドアの部分の詳細を示す説明図である。
【図５】実施例の防犯システムがおかれる状態の例を示す説明図である。
【図６】実施例の防犯システムがおかれる状態の例を示す説明図である。
【発明を実施するための形態】
【００６０】
以下、本発明を実施するための形態を、図面に示す実施例に基づいて説明する。
【実施例】
【００６１】
先ず、実施例の構成について説明する。
【００６２】
図１は、実施例の防犯システムを備えた建物１の概略構成を示している。
【００６３】
この実施例の防犯システムは、建物１の窓２に設置された施錠検知センサー２０と、建物１の戸としての玄関ドア３に設置された施錠検知センサー３０と、建物１内に設置された防犯システム本体装置４とから主に構成されている。
【００６４】
ここで、防犯システム本体装置４内には、全体の制御を行う制御手段としての制御部４１が設けられている。
【００６５】
そして、窓２が解錠しており、施錠検知センサー２０がその解錠状態を検知すると、内蔵された発信器（図示せず）が防犯システム本体装置４に設けられた受信器４２に信号を送り、タイマー４３が設定した時間Ｔを計時すると、防犯システム本体装置４に内蔵された報知手段としてのスピーカー４８から通知音や警告音などの音が発せられ、報知が行われる。
【００６６】
なお、制御部４１が発信器４４から施錠検知センサー２０に内蔵された報知手段としてのスピーカー５１の受信器（図示せず）に信号を送り、スピーカー５１からも通知音や警告音などの音が発せられ、報知が行われるように設定することもできる。
【００６７】
そのうえで、報知のレベルに応じ、施錠忘れ等の未施錠のときは、この防犯システム本体装置４のスピーカー４８だけから通知音を発し、窓２のガラス破りの際には、犯罪者等の侵入者への威嚇を主たる目的として、スピーカー４８からは勿論、スピーカー５１や後述のスピーカー５２からも警告音を発するように設定されている。
【００６８】
すなわち、特に、防犯システム本体装置４を人が多く集まるリビング等に設置すれば、離れた部屋の情報も気付くことができる。
【００６９】
ここで、通知音とは、居住者Ｍ等の建物１の使用者に注意喚起するためのものなので、７０ｄＢ程度の比較的長周期のストレスの少ない音のことであり、警告音とは、犯罪者等の侵入者への威嚇を主たる目的としているので、７０ｄＢ以上の短周期のストレスを与え威嚇する音のことである。
【００７０】
また、玄関ドア３が解錠しており、施錠検知センサー３０がその解錠状態を検知すると、内蔵された発信器（図示せず）が防犯システム本体装置４に設けられた受信器４２に信号を送り、タイマー４３が設定した時間Ｔを計時すると、防犯システム本体装置４に内蔵された報知手段としてのスピーカー４８から通知音が発せられ、報知が行われる。
【００７１】
なお、制御部４１が発信器４４から施錠検知センサー２０に内蔵された報知手段としてのスピーカー５２の受信器（図示せず）に信号を送り、スピーカー５２からも通知音や警告音などの音が発せられ、報知が行われるように設定することもできる。
【００７２】
さらに、制御部４１は、これらの信号を、インターネットや電話回線などのネットワークＮに接続されたゲートウェイやルータなどのネットワーク接続装置４５を介して、居住者Ｍが身に付けている携帯電話や専用通信機などの報知手段としてのデータ受信装置６にも送り、メール形式などで報知データによる報知を行う。
【００７３】
なお、初期設定により、玄関ドア３と窓２の施錠忘れ両方について報知データによる報知をするようにしてもよいし、玄関ドア３の施錠忘れのみについて報知データによる報知をするようにしてもよい。
【００７４】
また、施錠検知センサー２０，３０には、報知の一時的な延長又は停止を可能とする報知延長・停止手段としての報知延長・停止ボタン２１，３１がそれぞれ設けられている。
【００７５】
これら報知延長・停止ボタン２１，３１は、１回押すと設定した時間Ｔよりも長い時間Ｔ’に報知時間が延長され、２回押すとこの延長設定が解除されるようになっている。
【００７６】
なお、施錠検知センサー２０，３０及び防犯システム本体装置４には、窓２又は玄関ドア３を再度施錠すると、自動的に初期状態に復帰する復帰手段としての復帰回路が組み込まれている。
【００７７】
さらに、玄関ドア３の横等には、防犯システム本体装置４の発信器４４から送られる信号を受信する受信器（図示せず）が内蔵された表示手段としてのモニター７が設けられており、窓２と玄関ドア３の施錠状態が一目で分かるように表示されるようになっている。
【００７８】
なお、この表示手段としてのモニター７は、必要に応じ、複数台設けてもよく、例えば、リビングや寝室に設けてもよい。
【００７９】
また、この表示手段としてのモニター７としては、比較的安価なタブレットパソコンなどを利用することができ、この場合、音による報知も行えるように設定することができる。
【００８０】
次に、窓２に設けられた施錠検知センサー２０について詳細に説明する。
【００８１】
窓２は、図２及び図３に示したように、２枚のガラス面材２Ａ，２Ａから成る引き違い窓である。
【００８２】
また、施錠検知センサー２０は、ガラス面材２Ａ，２Ａの建物１の内部側の面にそれぞれ設けた一対の振動・磁気センサー２０Ａ，２０Ｂとから成る。
【００８３】
さらに、窓２のクレセント錠２Ｂの隣にある左側の振動・磁気センサー２０Ａの磁気の変動感知により、クレセント錠用施錠検知用磁石２３を埋め込んだり貼り付けたりして設けたクレセント錠２Ｂの解錠・施錠状態を検知することができる。
【００８４】
また、振動・磁気センサー２０Ａ，２０Ｂがガラス破りの際に生ずる特有の周波数の振動を感知すると、ガラス破りがなされたものとして検知することができる。
【００８５】
さらに、図３に示したように、窓２の外部側には、振動・磁気センサー２０Ｂの裏側位置のガラス面材２Ａの窓枠に窓用開閉検知用磁石２２が設けられており、クレセント錠２Ｂが解錠した状態で、窓用開閉検知用磁石２２と振動・磁気センサー２０Ｂとの間の距離の変位により、磁気の変化として窓２の開閉も検知することができる。
【００８６】
なお、施錠検知センサー２０が施錠状態で窓２が開状態であると検知したときには、システムの異常とみなし、報知手段としてのスピーカー４８，５１，５２又はデータ受信装置６による報知を行うようになっている。
【００８７】
ここで、クレセント錠２Ｂとしては、空がけ防止用のものが用いられている。
【００８８】
なお、３枚以上のガラス面材から成り、左右のいずれか片側にクレセント錠を有するタイプの引き違い窓でも、略同様の構成で実施することができる。
【００８９】
次に、戸としての玄関ドア３に設けられた施錠検知センサー３０について詳細に説明する。
【００９０】
この玄関ドア３は、図４に示したように、ドアノブ３３の近傍にサムターン３２が設けられた汎用されるものである。
【００９１】
そして、サムターン３２の横に磁気センサーから成る施錠検知センサー３０が設けられている。
【００９２】
さらに、サムターン３２には、戸用施錠検知用磁石８１が組み込まれたり貼り付けられたりして取り付けられている。
【００９３】
これにより、施錠検知センサー３０が、戸用開閉検知用磁石８１の変位を磁気の変化として感知し、玄関ドア３の解錠・施錠状態を検知する。
【００９４】
また、施錠検知センサー３０として、磁気検知機能だけでなく、振動検知機能も有するものを用いれば、犯罪者がドリルなどの道具を使って鍵自体を壊すなどの手口も早期に検知でき、より防犯性能を高めることができる。
【００９５】
次に、防犯システム本体装置４に設けられた表示部４７について詳細に説明する。
【００９６】
この表示部４７は、内部に発光ダイオードなどの光素子が組み込まれており、施錠検知センサー２０，３０で検知した検知結果に基づいた安全度の度合いを色と光の点滅とで表示する。
【００９７】
具体的には、一例として以下のように設定される。
【００９８】
窓２のガラス割れ無し、玄関ドア３の施錠中、窓２の施錠中、窓２が閉状態であるときは、表示部４７を青色で点灯させる。この場合、安全度が万全と分かる。
【００９９】
窓２のガラス割れ無し、玄関ドア３の施錠中、窓２の施錠中、窓２が開状態であるときは、表示部４７をマゼンダ色で点滅させる。この場合、窓用開閉検知用磁石２２が落下するなどして外れたおそれが想定される。
【０１００】
窓２のガラス割れ無し、玄関ドア３の施錠中、窓２の解錠中、窓２が閉状態であるときは、表示部４７を設定時間赤色で点灯させ、この設定時間経過後に赤色で点滅させる。この場合、窓２が解錠状態になっているので時間が経つほどに危険だと分かる。
【０１０１】
窓２のガラス割れ無し、玄関ドア３の施錠中、窓２の解錠中、報知延長・停止ボタン２１を押した状態で窓２が閉状態であるときは、表示部４７を赤色で点灯させる。この場合、報知延長・停止ボタン２１を押したので、報知は時間Ｔ’に延長されるが、表示部４７が赤色であることを見れば窓２の状態を確認しなければならないことが分かるし、これを見過ごしていたとしても、延長された時間Ｔ’後に報知されることとなるので、いずれにせよ気付くことができる。なお、延長時間Ｔ’前に施錠すれば、報知延長・停止ボタン２１による延長処理はキャンセルされるようになっている（図５を参照）。よって、居住者Ｍ等の建物１の使用者は、わざわざ防犯システム本体装置４の所まで行かなくとも、その場で報知を延長することができ、鍵を閉めれば元の常時警戒の状態に戻るので、操作をする必要が殆ど無くなり、煩わしさがない。この機能は、ベランダや庭で作業をするときで、窓２は閉めておきたいとき（例えば、エアコン稼働中等）に特に有効である。
【０１０２】
窓２のガラス割れ無し、玄関ドア３の施錠中、窓２の解錠中、窓２が開状態であるときは、表示部４７を黄色で点灯させる。これは、居住者Ｍ等の建物１の使用者の意思による窓開けとみなし、極力、音による報知はせずに、表示部４７の表示のみで注意喚起を促す意図である。窓開けによる換気や、通風のニーズは非常に高く、従来から、警戒中の防犯システムの解除を行ってでも窓を開ける人が過半数を占めることに由来する処置である。また、このようにすれば、居住者Ｍ等の建物１の使用者は、窓開けを比較的自由にすることができ、煩わしさがないという利点もある（図６を参照）。
【０１０３】
窓２のガラス割れ無しでも、玄関ドア３の解錠中のときは、窓２がいかなる状態であっても、表示部４７を赤色で点灯させ、所定の時間Ｔ経過すれば報知するように設定してある。この場合、玄関ドア３の施錠忘れでそのまま外出してしまうケースもあるため、音だけでなく、メール送信等による報知も行うように設定すれば、いかなる状態であっても、その状態に気付くことが可能である。また、報知延長・停止ボタン３１を押した場合では、設定された延長時間Ｔ’内は赤色で点灯させるが、この設定時間Ｔ’経過後には赤色で点滅させて、音やメール送信等による報知で、警戒すべき注意喚起を行う。報知延長・停止ボタン３１を押した場合でも、再度施錠をすれば、報知延長・停止ボタン３１による延長処理はリセットされ、再度玄関ドア３を解錠した場合には、通常の所定時間Ｔで報知をするようになっている。よって、居住者Ｍ等の建物１の使用者は、特別な操作をする必要なく、鍵を閉めるという行為だけで、延長処理をキャンセルすることができ、システム操作をし忘れることもない。なお、延長時間Ｔ’内に施錠した場合は、通知音は発しないようになっている。
【０１０４】
窓２のガラス割れ有りのときは、玄関ドア３や窓２がいかなる状態であっても、表示部４７を赤色で点滅させる。この場合、犯罪者等の侵入が疑われるので、最も危険であると分かる。
【０１０５】
さらに、報知手段としてのスピーカー５１からは、侵入者への威嚇を主たる目的とした警報として、警告音等の音による報知又は警告灯の点灯等の表示による報知も行うように設定されている。同時に、メール形式などの報知データによる報知も行うように設定されている。
【０１０６】
なお、表示部４７の色やパターンの設定は、使用者が分かりやすいように初期設定すればよい。
【０１０７】
次に、実施例の作用効果について説明する。
【０１０８】
このような実施例の防犯システムは、建物１の窓２及び戸としての玄関ドア３に設置された施錠検知センサー２０，３０と、施錠検知センサー２０，３０が解錠状態を検知してからの時間を計時するタイマー４３と、タイマー４３が設定した時間以上の時間Ｔを計時すると報知を行う報知手段としてのスピーカー４８，５１，５２、表示部４７及びデータ受信装置６と、これらを制御する制御手段としての制御部４１とを備えた構成とされている。
【０１０９】
こうした構成なので、万一、無施錠状態（解錠状態）となっていても、報知手段としてのスピーカー４８，５１，５２、表示部４７及びデータ受信装置６により居住者Ｍ等の建物１の使用者に音、表示及び報知データの少なくとも一つで報知が行われるため、基本的に、従来では頻繁に行う警戒解除や常時警戒のための警戒設定操作を行わなくても、居住者Ｍ等の建物１の使用者は鍵を閉めるという通常の行為をするのみで、常時防犯が行え、施錠忘れなどによる不安全な無施錠状態を予防することができる。
【０１１０】
また、建物１の窓２又は戸としての玄関ドア３が無施錠のときには、報知手段としてのスピーカー４８，５１，５２、表示部４７及びデータ受信装置６による音、表示及び報知データのいずれかでの報知がなされるため、居住者Ｍ等の建物１の使用者が建物１から外出中のときなどの防犯対策は勿論、居住者Ｍ等の建物１の使用者が建物１内に居るときなどの防犯対策も行える。
【０１１１】
さらに、報知手段としてのスピーカー４８，５１，５２、表示部４７及びデータ受信装置６による報知は、設定した時間未満ではなされないため、通常の窓２や玄関ドア３の開け閉めに支障をきたすことはない。
【０１１２】
そのうえ、報知手段としてのスピーカー４８，５１，５２、表示部４７及びデータ受信装置６による報知は、音、表示及び報知データであるため、音は、居住者Ｍ等の建物１の使用者が建物１内に居るときに無施錠を知らせることができるだけでなく、犯罪者等の侵入者を威嚇して犯行を抑止させることができ、表示は、屋内の表示部４７により、居住者Ｍ等の建物１の使用者が建物１内に居るときに視覚的に無施錠を知らせることができ、報知データは、携帯端末などのデータ受信装置６により、離れた場所にいる居住者Ｍ等の建物１の使用者に窓２又は玄関ドア３が無施錠であることを知らせることができる。
【０１１３】
なお、例えば、音による報知や報知データによる報知では、居住者Ｍ等の建物１の使用者がトイレにいたりして気付かないケースもあるため、設定した間隔で複数回行うようにすることもでき、より効果的である。
【０１１４】
また、表示による報知では、屋外に警告灯等の表示装置を設置すれば、犯罪者等の侵入者を威嚇して犯行を抑止させることもできる。
【０１１５】
ここで、窓２は引き違い窓であり、施錠検知センサー２０は、引き違い窓の各ガラス面材２Ａ，２Ａにそれぞれ設置された振動・磁気センサー２０Ａ，２０Ｂと、引き違い窓の外側に取り付けられた窓用開閉検知用磁石２２、引き違い窓のクレセント錠２Ｂに設けられたクレセント錠用施錠検知用磁石２３とから成り、引き違い窓のクレセント錠２Ｂの解錠・施錠状態検知機能と、引き違い窓の開閉検知機能と、引き違い窓のガラス破り検知機能とを有する。
【０１１６】
このため、窓２の閉め忘れは勿論、特に多い犯罪者の窓２からの侵入を抑止することができる。特に、建物内への侵入犯罪手口のうち、無施錠の窓や戸からの侵入（４３．４％）に次いで多いガラス破りによる侵入（４０．５％）に対する防犯対策となる（数字は、警視庁発表の発生場所別の侵入手口２０１１年を引用）。
【０１１７】
また、振動・磁気センサー２０Ａ，２０Ｂにより窓２のガラス破りを検知したときには、侵入者によるものとみなし、犯罪者等の侵入者への威嚇を主たる目的とした警報として、音による報知又は表示による報知を行い、窓２又は戸としての玄関ドア３の未施錠状態を検知したときは、居住者Ｍ等の建物１の使用者による行為とみなし、居住者Ｍ等の建物１の使用者への注意喚起として、音による報知、表示による報知、又は報知データによる報知を行う。
【０１１８】
このため、犯罪者等の侵入者に対する警報と、居住者Ｍ等の建物１の使用者に対する注意喚起とを明確に切り分けるため、居住者Ｍ等の建物１の使用者は、警戒解除と警戒設定操作とを意識することなく、防犯することができる。
【０１１９】
すなわち、居住者Ｍ等の建物１の使用者が自ら故意に行うはずもないガラス破りを犯罪者等の侵入者による行為と特定し、主として犯罪者等の侵入者への威嚇を主たる目的とした警報として、音による報知又は表示による報知を行い、同時に、メール形式などの報知データによる報知も行い、窓２又は戸としての玄関ドア３の施錠状態に関しては、居住者Ｍ等の建物１の使用者による行為と特定し、居住者Ｍ等の建物１の使用者への注意喚起として、音による報知、表示による報知、又は報知データによる報知を行うので、いずれにせよ、居住者Ｍ等の建物１の使用者は、不安全な状態とその度合いを知ることができ、それに応じた対応をすることができる。
【０１２０】
上記したように、犯罪者等の侵入者の行為と居住者Ｍ等の建物１の使用者の行為を明確にセンシングから報知までを含め分離することにより、居住者Ｍ等の建物１の使用者の負担や煩わしさを飛躍的に低減することができる。
【０１２１】
これにより、居住者Ｍ等の建物１の使用者による窓２や戸としての玄関ドア３の施錠忘れの状態が低減することとなり、犯罪者等の侵入者は、どうしても侵入したいときは、ガラス破りをするなどしかなくなり、侵入犯罪の予防が図れる。
【０１２２】
そのうえ、居住者Ｍ等の建物１の使用者は、警戒解除と警戒設定操作とをその都度行う必要がないので、操作忘れや煩わしさによる未警戒状態を排除することができ、常に安全な状態へと導くことができる。
【０１２３】
特に、侵入手口の多くは、施錠忘れが原因であることから、居住者Ｍ等の建物１の使用者の多くは、外出時などに施錠忘れをしていないか不安に思うが、この不安を払拭することもできる。
【０１２４】
また、報知データによる報知を行う報知手段が携帯電話のときは、報知データによる報知が行われなくとも、その携帯電話で防犯システム本体装置４に問い合わせると施錠状態を確認できるように設定しておけば、不安感の強い居住者Ｍ等の建物１の使用者の不安も払拭することができる。
【０１２５】
さらに、窓２のガラス破りを検知したときの音による報知は、警報音によるものであり、窓２又は戸としての玄関ドア３の未施錠状態のみを検知したときの音による報知は、通知音によるものである。
【０１２６】
このため、犯罪者等の侵入者による行為の可能性が極めて高い窓２のガラス破りを検知したときは、大きな警報音によりしっかり威嚇し、居住者Ｍ等の建物１の使用者の行為とみなせる窓２又は戸としての玄関ドア３の未施錠状態のみを検知したときは、注意喚起する程度の通知音による報知を行うことができ、居住者Ｍ等の建物１の使用者に無駄なストレスを与えずに済む。
【０１２７】
また、施錠検知センサー２０が施錠状態で窓２が開状態であると検知したときには、システムの異常とみなし、報知手段としてのスピーカー４８，５１，５２又はデータ受信装置６による報知を行う。
【０１２８】
このため、窓用開閉検知用磁石２２が落下して外れた状態となったときなどのシステム上の異常時を居住者Ｍ等の建物１の使用者に知らせることができる。
【０１２９】
さらに、窓２のクレセント錠２Ｂには、空がけ防止用のクレセント錠が用いられている。
【０１３０】
このため、人為的なミスである窓のクレセント錠２Ｂの空がけ状態を排除することができる。
【０１３１】
また、窓２の施錠検知センサー２０が解錠状態で窓２が開状態であると検知したときには、居住者Ｍ等の建物１の使用者による行為とみなし、居住者Ｍ等の建物１の使用者への注意喚起として、その窓２のみについて表示による報知を行うように設定されている。
【０１３２】
このため、窓２の施錠検知センサー２０が解錠状態で窓２が開状態であるというのは、居住者Ｍ等の建物１の使用者が窓２の窓際に居て換気を行っていたり、ベランダで洗濯物を干す作業を行っていたりして、居住者Ｍ等の建物１の使用者が監視している状態となっている可能性が高いが、何かの急用で、そのまま外に出かけてしまうケースなども皆無ではないので、例えば、報知データによる報知で注意喚起をするとよい。
【０１３３】
そのうえ、対象となる窓２のみについて報知を行い、他の窓や戸としての玄関ドア３等は警戒状態となっているので、わざわざ防犯システム本体装置４まで設定切替操作をしに行く必要がなく、非常に使い勝手が良い。
【０１３４】
さらに、施錠検知センサー２０，３０で検知した検知結果に基づいた安全度の度合いを色や光の点滅で表示する表示部４７を備えている。
【０１３５】
このため、表示部４７の色や点滅を見るだけで、一目で安全度の度合いを確認することができる。
【０１３６】
また、戸としての玄関ドア３は内側にサムターン３２を有するものであり、サムターン３２には、戸用施錠検知用磁石８１が組み込まれており、施錠検知センサー３０は、磁気センサーから成り、戸用施錠検知用磁石８１の変位から玄関ドア３の解錠・施錠状態を検知する。
【０１３７】
このため、戸としての玄関ドア３の解錠・施錠状態を簡易に検知することができる。
【０１３８】
さらに、窓２及び戸としての玄関ドア３には、報知手段としてのスピーカー４８，５１，５２又はデータ受信装置６による報知の一時的な延長又は停止を可能とする報知延長・停止手段としての報知延長・停止ボタン２１，３１がそれぞれ設置されている。
【０１３９】
このため、例えば、ベランダでの物干し作業や玄関での来客、掃除等の時に、いちいち防犯システム本体装置４まで行って警戒解除の操作をしなくても、その場で延長又は停止させることができ、非常に使い勝手が良い。
【０１４０】
特に、夏場や冬場は建物１の屋内はエアコンなどの冷暖房機器を用いているケースが多いが、ベランダで洗濯物を干す作業を行っていたり、庭仕事をしていたりしているときなどに、窓２を施錠せず閉状態としても、万一、設定した時間Ｔ’経てば報知してくれるので、そのまま忘れることもない。
【０１４１】
さらに、報知延長・停止手段としての報知延長・停止ボタン２１，３１による報知の一時的な延長又は停止がなされるとともに、設定された時間Ｔ’内に施錠検知センサーが施錠状態を検知したときは、タイマー４３が設定した時間を計時すると報知手段としてのスピーカー４８，５１，５２、表示部４７及びデータ受信装置６のいずれかによる報知が行われる状態に復帰させる復帰手段としての復帰回路が設けられている。
【０１４２】
このため、再度施錠されれば、自動的にリセットされるので、報知の一時的な延長又は停止の解除忘れがない。
【０１４３】
さらに、窓２及び戸としての玄関ドア３の横に解錠・施錠状態を表示する防犯システム本体装置４とは別体の表示手段としてのモニタ７を備えている。
【０１４４】
このため、例えば、施錠し忘れで玄関に戻ってくれば、モニター７を見ることで、一目で建物１全体の施錠状態を確認することができる。
【０１４５】
すなわち、防犯システム本体装置４が設置されている場所以外でも、居住者Ｍ等の建物１の使用者は、一目で建物１全体の施錠状態を確認することができ、より防犯性を高めることができる。
【０１４６】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【０１４７】
例えば、上記した実施例では、本発明の説明を簡単に行うため、建物１の構成を簡易なものとしたが、これに限定されず、窓や戸が多いより複雑な構成で実施してもよい。
【０１４８】
また、上記した実施例では、簡易な設定で実施したが、これに限定されない。
【０１４９】
例えば、この音による報知と、表示による報知と、報知データによる報知との全てを行うのは、防犯システム本体装置４に設けられた報知モード切替手段としての報知モード切替ボタン４６をオンにした重警戒モードとし、報知モード切替ボタン４６をオフにしておくと、軽警戒モードに切り替わり、表示による報知及び報知データによる報知のみが行われるようにするなどして実施してもよい。
【０１５０】
この場合、この報知モードの切替設定は、報知モード切替ボタン４６での手動によるものだけでなく、時間により切り替わる自動のものに設定することもできる。これにより、例えば、昼間などは軽警戒モードとなり、夜間や外出中などには重警戒モードとなるように設定すれば、施錠し忘れによる音での他の家族の睡眠妨害や近所迷惑などを極力少なくしながら、防犯対策が行える。
【０１５１】
なお、ガラス破りは危険性が高いので、いずれのモードでも、犯罪者等の侵入者への威嚇を主たる目的とした警報として、音による報知を行うように設定するとよい。
【０１５２】
また、報知モード切替ボタン４６は、オン・オフで切り替える１つボタンの方式だけでなく、軽警戒ボタンと重警戒ボタンとを別個に設けた２つボタンの方式で実施してもよい。
【０１５３】
いずれにせよ、居住者Ｍ等の建物１の使用者が、どちらのモードになっているか分かるようになっていればよい。
【符号の説明】
【０１５４】
１      建物
２      窓
２Ａ    ガラス面材
２Ｂ    クレセント錠
２０    施錠検知センサー
２０Ａ  振動・磁気センサー（解錠施錠状態検知センサー、振動検知センサー）
２０Ｂ  振動・磁気センサー（開閉検知センサー、振動検知センサー）
２１    報知延長・停止ボタン（報知延長・停止手段）
２２    窓用開閉検知用磁石（開閉検知センサー）
２３    クレセント錠用施錠検知用磁石（解錠施錠状態検知センサー）
３      玄関ドア（戸）
３０    施錠検知センサー（解錠施錠状態検知センサー）
３１    報知延長・停止ボタン（報知延長・停止手段）
３２    サムターン
３３    ドアノブ
４      防犯システム本体装置
４１    制御部（制御手段）
４２    受信器
４３    タイマー
４４    発信器
４５    ネットワーク接続装置
４６    報知モード切替ボタン（報知モード切替手段）
４７    表示部（報知手段）
４８    スピーカー（報知手段）
５１    スピーカー（報知手段）
５２    スピーカー（報知手段）
６      データ受信装置（報知手段）
７      モニター（表示手段）
８１    戸用施錠検知用磁石（解錠施錠状態検知センサー）
Ｍ      居住者（建物の使用者）
Ｎ      ネットワーク
【図１】
2018028936.tif 000003
【図２】
2018028936.tif 000004
【図３】
2018028936.tif 000005
【図４】
2018028936.tif 000006
【図５】
2018028936.tif 000007
【図６】
2018028936.tif 000008